(57)【要約】      （修正有）【課題】車両の一部である跳ね上げ式の背面ドアを利用して、主にタープシートと簡易な機構のみで構成することにより簡易に取り付けることができ、軽量小型で安価なリアタープを提供する。【解決手段】リアタープ１０１は、その上辺１０２の下方の所定の位置に結合手段の一部である面ファスナー１０３が上辺に略平行にほぼ両端にわたり貼り付けられており、その下辺１０４の上方の所定の位置には両端および中心に固定手段の一部であるハトメ部１０５が設けられている。【選択図】図１
0003234414.tif 000002
【実用新案登録請求の範囲】
【請求項１】
車両の水平跳ね上げ式の背面ドアに取り付けるリアタープであって、
リアタープシートと、
前記背面ドアのヒンジ辺に対向する辺に前記リアタープシートの上辺を取り外し可能に結合する結合手段と、
前記リアタープシートの下辺を地面に固定する固定手段と
を備えることを特徴とするリアタープ。
【請求項２】
前記結合手段は、前記背面ドアのヒンジ辺に対向する辺の両端にわたる所定の領域に貼り付けられた面ファスナー、および前記リアタープシートの上辺の下方の対応する領域に貼り付けられた面ファスナーによる結合部、またはマグネットによる結合部を含むことを特徴とする請求項１に記載のリアタープ。
【請求項３】
前記固定手段は、前記リアタープシートの下辺の所定の上方に設けられた３つ以上の取付穴部、および前記取付穴部の各々を介して前記リアタープシートに取り付けられる、ペットボトル結合手段または地面固定手段を含むことを特徴とする請求項２に記載のリアタープ。
【考案の詳細な説明】
【技術分野】
【０００１】
本考案は、車両の外部に日除けなどのために設けられるリアタープに関し、より具体的には、ワンボックスや、１．５ボックスなど、ワゴン車の背面ドアを利用して簡易に敷設することができるリアタープに関する。
【背景技術】
【０００２】
アウトドアなどのレジャーをはじめとして、自動車などの車両の近辺で作業する場合に、日除けや目隠しを目的とし、車両の一部に取り付けて、車両周辺の一定の作業領域を被覆するタープが様々提案されている。例えば、設営が簡単で収納性にも優れ、手頃な価格で手に入れられる自動車用サイドタープを提供することを目的とし、連結部材１８は、自動車に固定される固定部材１４に繋がるアーム１５の先端１５ｄと前アーム１６の基端１６ａの回動軸１８ａ，１８ｂを並設し、その並設間隔はアーム１５と前アーム１６とが接触するような距離であり、アーム１５と前アーム１６とを連結しない側に回動軸支持部１８ｃが設けられているのでアーム１５と前アーム１６との回動範囲を１８０度に制限させることができ、また、連結部材１８はアーム１５と前アーム１６の内側に取り付けられているので、収納のためにアーム１５と前アーム１６とを折り畳む時には内側に折れていきコンパクトに収納でき、各部材が中空で全体が軽量である自動車用サイドタープが提案されている。（特許文献１参照）。
【先行技術文献】
【特許文献】
【０００３】
【特許文献１】実願２００１−４５１６号公報
【考案の概要】
【考案が解決しようとする課題】
【０００４】
しかし、特許文献１の自動車用サイドタープは、自動車側面にタープを取り付けるため、同様に日除けや目隠しを目的にするとしても、タープを支える枠組み（固定部材）や脚部などの複数の部品を組み込まなければならず、製品自体が大きく、重くなってより安価に提供できないという問題がある。
【０００５】
本考案は上記従来の問題に鑑みてなされたものであり、車両の一部である跳ね上げ式の背面ドアを利用して、主にタープシートと簡易な機構のみで構成することにより簡易に取り付けることができ、軽量小型で安価なリアタープを提供することを目的とする。
【課題を解決するための手段】
【０００６】
上述の課題を解決するために、本願の請求項１に記載の考案は、車両の水平跳ね上げ式の背面ドアに取り付けるリアタープであって、リアタープシートと、背面ドアのヒンジ辺に対向する辺にリアタープシートの上辺を取り外し可能に結合する結合手段と、リアタープシートの下辺を地面に固定する固定手段とを備えることを特徴とするリアタープ。
【０００７】
請求項２に記載の考案は、請求項１に記載のリアタープにおいて、結合手段は、背面ドアのヒンジ辺に対向する辺の両端にわたる所定の領域に貼り付けられた面ファスナー、およびリアタープシートの上辺の下方の対応する領域に貼り付けられた面ファスナーによる結合部、またはマグネットによる結合部を含むことを特徴とする。
【０００８】
請求項３に記載の考案は、請求項２に記載のリアタープにおいて、固定手段は、リアタープシートの下辺の所定の上方に設けられた３つ以上の取付穴部、および取付穴部の各々を介して前記リアタープシートに取り付けられる、ペットボトル結合手段または地面固定手段を含むことを特徴とする。
【考案の効果】
【０００９】
本考案によると、車両の水平跳ね上げ式の背面ドアに取り付けるリアタープであって、リアタープシートと、背面ドアのヒンジ辺に対向する辺にリアタープシートの上辺を結合する結合手段と、リアタープシートの下辺を地面に固定する固定手段とを備えるので、主にタープシートと簡易な機構のみで構成することにより簡易に取り付けることができ、軽量小型で安価なリアタープを提供することができる。
【図面の簡単な説明】
【００１０】
【図１】本考案の一実施形態のリアタープの一例を示す図である。
【図２】本考案の一実施形態のリアタープが車両に取り付けられている一例を示す図である。
【図３】本考案の一実施形態のリアタープを車体の所定の位置に取り付ける一例を示す図である。
【図４】本考案の一実施形態のリアタープの固定手段の一例を示す図である。
【考案を実施するための形態】
【００１１】
以下、本考案のリアタープについて図面を参照して実施形態を説明する。
【００１２】
図１は、本考案の一実施形態のリアタープの一例を示す図である。本実施形態のリアタープ１０１は、その上辺１０２の下方の所定の位置に結合手段の一部である面ファスナー１０３が上辺１０２に略平行にほぼ両端にわたり貼り付けられており、その下辺１０４の上方の所定の位置には両端および中心に固定手段の一部であるハトメ部１０５が設けられている。面ファスナー１０３およびシートへの貼り付け方法は、強風でも剥がれない強度を有しつつ、取り外し性を損なわない限り本技術分野で知られたいずれのものも使用することができるが、面ファスナーの幅は２〜４ｃｍとすることが望ましい。また、ハトメ部１０５はリアタープ１０１を地面に固定できれば単なる取付穴とすることができるが、通常は穴をいわゆるハトメで止めることにより形成することができる。ハトメ部１０５は図１では３つであるが本技術分野で知られたいずれの個数とすることもできる。
【００１３】
リアタープ１０１の本体であるリアタープシートは、布や樹脂、あるいは紙類など、日除けや目隠しなどの目的に応じて様々な素材を使用することができるが、使用状況や設置手数に応じて背面ドアに取り付けて垂らしたときに、通常の強度の風が吹いても安定し、めくれ上がらない程度の強度と重量があることが好ましい。また、このために、メッシュ素材のような空気を逃がすような構造のシートを用いることもできるがこれに限られない。素材の一例としては、メッシュターポリンなどを用いることができるが、この場合気流を逃がし、一定の風速までは固定手段がなくてもめくれ上がらないために、充実率（網の表面積／網の外郭面積）が０．６〜１．０および重量１００〜５００ｇ／ｍ２であることが好ましい。リアタープシートの大きさは、十分な被覆が可能な範囲で、車体横幅からはみ出さず、地面に直接設置しないことが望ましく、具体的には装着する所領により横１５０〜１７０ｃｍ、高さ１６０〜１８０ｃｍが好ましい。
【００１４】
図２は、本考案の一実施形態のリアタープが車両に取り付けられている一例を示す図である。リアタープ１０１は、図２に示すように、車両２０１の背面ドア２０２のヒンジ２０３に対向する辺２０４に沿って取り付けられる。リアタープ１０１の上辺１０２と背面ドアの一辺２０４とを結合する本実施例の結合部２０５は、図３に示すように、リアタープの面ファスナー１０３と、予め両面テープ等で背面ドアの一辺２０４付近の所定の位置に貼り付けられた背面ドアの面ファスナー３０１とで形成されるが、面ファスナー以外でも容易に取り付け、取り外しが可能であれば、マグネットなど本技術分野で知られたいずれかの結合手段を用いることができる。背面ドアの面ファスナー３０１の貼り付けに当たっては、背面ドアの凸部３０２を避けて貼り付けることにより、車両側のゴムが噛みこんで防水が低下することを回避することができ、それに合わせてリアタープシート１０１の横幅の寸法も車種ごとに決定することができる。また、マグネットを用いる場合は、接合部２０５の長さ方向の所定の間隔で適切な磁力を有するマグネットを貼り付けることにより、鉄製の背面ドアに結合することができる。所定の間隔は例えば５〜３５ｃｍなど、本技術分野で知られた範囲とすることができる。
【００１５】
また、図4に示すようにリアタープの下部にある、取付穴部であるハトメ部１０５には紐４０１が取り付けられ、取り付け部４０２にペットボトル２０７等の重しとなるものの首等をひっかけて締めることにより固定部２０６が形成されるが、これに限られずペグなど、地面に埋め込むことができる部品（図示せず）を取り付け部４０２に取り付け、地面に固定することもできる。
【００１６】
以上の通り、跳ね上げ式の背面ドアを利用することにより、簡易な構造で安価なリアタープを提供することが可能である。
【符号の説明】
【００１７】
１０１  リアタープ
１０２  上辺
１０３  面ファスナー
１０４  下辺
１０５  ハトメ部
２０１  車両
２０２  背面ドア
２０３  ヒンジ
２０４  背面ドアの一辺
２０５  結合部
２０６  固定部
２０７  ペットボトル
３０１  面ファスナー
３０２  背面ドアの凸部
４０１  紐
４０２  取り付け部
【図１】
0003234414.tif 000003
【図２】
0003234414.tif 000004
【図３】
0003234414.tif 000005
【図４】
0003234414.tif 000006